(57)【要約】【課題】  ユーザの外出時の防犯用に、簡易な操作によってユーザの生活音を模擬する音声を放音する。【解決手段】  ユーザが電話機１１０（ＩＰ電話機）において所定の電話番号を入力すると、その着信要求がインターネットサービスプロバイダ１８０内の音声データ配信サーバ１８４に受信される。サーバ１８４においては、様々な家族構成等に応じた複数種類の音声データが記憶されており、予め各ユーザ毎に供給すべき音声データが設定されている。そして、当該ユーザによって予め選択された音声データが、音声信号に変換されながらサーバ１８４から電話機１１０に逐次供給される。【選択図】  図１
2006126888.tif 000002
【特許請求の範囲】
【請求項１】
ユーザ側の電話端末から電話回線を介して着信要求を受信する過程と、
前記着信要求を受信すると、前記ユーザによって予め選択された防犯用音声データの一部を成す、複数の部分データを記憶装置から順次読み出す過程と、
読み出された前記各部分データを前記電話端末において放音し得る音声信号に変換しつつ、前記電話端末に対して前記電話回線を介して繰り返し送信する送信過程と
を処理装置が実行することを特徴とする防犯用音声配信方法。
【請求項２】
前記電話端末はＩＰ電話機であり、前記音声信号はＵＤＰ／ＩＰパケットであることを特徴とする請求項１記載の防犯用音声配信方法。
【請求項３】
ユーザ側の端末を介して、防犯用音声データの種類を指定した配信要求を受信する過程と、
前記配信要求を受信すると、指定された前記種類の音声データの一部を成す部分データを、前記端末に繰り返し配信する配信過程と
を処理装置が実行することを特徴とする防犯用音声配信方法。
【請求項４】
請求項１ないし３の何れかに記載の防犯用音声配信方法を実行することを特徴とする防犯用音声配信装置。
【請求項５】
請求項１ないし３の何れかに記載の防犯用音声配信方法を処理装置に実行させることを特徴とするプログラム。
【発明の詳細な説明】
【技術分野】
【０００１】
本発明は、空き巣等の防止に用いて好適な防犯用音声配信方法、防犯用音声配信装置およびプログラムに関する。
【背景技術】
【０００２】
住宅を留守にする場合、外部から見て留守で住人が在宅中であるかのように偽装することによって空き巣等を防止する方法が知られている。具体的には、テレビジョン／ラジオ等の音響機材や照明器具等をオン状態に設定し、あるいはタイマ等を用いてこれらの機器をオン／オフすることが考えられる。また、特許文献１においては、磁気テープや光ディスク等の記録媒体に予め録音しておいた生活音を繰り返し放音する技術が開示されている。
【０００３】
【特許文献１】特開２００３−１１５０８７号公報
【発明の開示】
【発明が解決しようとする課題】
【０００４】
特許文献１記載の技術によれば、ユーザが生活音を予め記録媒体に録音することになるが、通常の磁気テープや光ディスク等の記録媒体は録音時間が短いために短い周期でループさせつつ再生する必要がある。これにより、放音された生活音が録音されたものであることに感づかれ易いという問題がある。さらに、個々のユーザが生活音を録音することは非常に煩雑である。
この発明は上述した事情に鑑みてなされたものであり、簡易な操作によって実際の生活音に近い音声を生成することができる防犯用音声配信方法、防犯用音声配信装置およびプログラムを提供することを目的としている。
【課題を解決するための手段】
【０００５】
上記課題を解決するため本発明にあっては、下記構成を具備することを特徴とする。なお、括弧内は例示である。
請求項１記載の防犯用音声配信方法にあっては、ユーザ側の電話端末（１１０）から電話回線（１２１）を介して着信要求を受信する過程と、前記着信要求を受信すると、前記ユーザによって予め選択された防犯用音声データの一部を成す、複数の部分データを記憶装置から順次読み出す過程（ＳＰ１４）と、読み出された前記各部分データを前記電話端末において放音し得る音声信号に変換しつつ、前記電話端末に対して前記電話回線を介して繰り返し送信する送信過程（ＳＰ１６）とを処理装置が実行することを特徴とする。
さらに、請求項２記載の構成にあっては、請求項１記載の防犯用音声配信方法において、前記電話端末はＩＰ電話機であり、前記音声信号はＵＤＰ／ＩＰパケットであることを特徴とする。
また、請求項３記載の防犯用音声配信方法にあっては、ユーザ側の端末（２１０，２２０）を介して、防犯用音声データの種類を指定した配信要求を受信する過程と、前記配信要求を受信すると、指定された前記種類の音声データの一部を成す部分データを、前記端末に繰り返し配信する配信過程（ＳＰ３２）とを処理装置が実行することを特徴とする。
また、請求項４記載の防犯用音声配信装置にあっては、請求項１ないし３の何れかに記載の防犯用音声配信方法を実行することを特徴とする。
また、請求項５記載のプログラムにあっては、請求項１ないし３の何れかに記載の防犯用音声配信方法を処理装置に実行させることを特徴とする。
【発明の効果】
【０００６】
このように、本発明によれば、ユーザ側の着信要求または配信要求に応じて、電話端末において放音し得る音声信号または音声データの一部を成す部分データがユーザ側に自動的に配信されるから、簡易な操作によって実際の生活音に近い音声を生成することができる。
【発明を実施するための最良の形態】
【０００７】
1．第１実施例
1．1．第１実施例のハードウエア構成
次に、本発明の第１実施例の音声配信システムの構成を図１を参照し説明する。
図１において１００はユーザの一般家庭であり、その内部に設けられたＡＤＳＬスプリッタ１１２は加入者線１２１に接続されている。ここで、加入者線１２１は通常の電話回線およびＡＤＳＬ用の加入者線を兼用している。ＡＤＳＬスプリッタ１１２は加入者線１２１を介して受信した信号を、ＡＤＳＬおよび音声通話の二帯域に帯域分割し、ＡＤＳＬ帯域の信号をＡＤＳＬ分岐線１１４を介して出力し、音声通話帯域の信号を電話分岐線１１６を介して出力するとともに、ＡＤＳＬ分岐線１１４および電話分岐線１１６から受信した信号を合成し加入者線１２１を介して出力する。
【０００８】
１０２，１０４はパーソナルコンピュータ、１０６はハブであり、これらによって家庭内ＬＡＮ１０１が構成されている。１０８はＶｏＩＰ（Voice over IP）機能を搭載したＡＤＳＬモデムであり、家庭内ＬＡＮ１０１とＡＤＳＬ分岐線１１４との間に介挿され、両者間に送受信されるＩＰパケットを仲介する。１１０は電話機であり、ＩＰ電話機および通常の電話機の双方の機能を有している。さらに、電話機１１０には、ハンドセット内に設けられるスピーカの他に、比較的大音量で音声を室内に放音する室内放音用スピーカも内蔵されている。
【０００９】
電話機１１０が通常の電話機として使用される場合は、電話機１１０が送受信する音声信号および制御信号は、ＡＤＳＬモデム１０８、電話分岐線１１６、ＡＤＳＬスプリッタ１１２を介して、加入者線１２１との間でアナログ信号のまま送受信される。一方、電話機１１０がＩＰ電話機として使用される場合は、電話機１１０から出力されたアナログ信号はＡＤＳＬモデム１０８においてＩＰパケットに変換され、他のＩＰパケットとともにＡＤＳＬ分岐線１１４を介して送信される。また、ＩＰ電話用のＩＰパケットがＡＤＳＬモデム１０８に受信されると、ＡＤＳＬモデム１０８においては当該ＩＰパケットがアナログの音声信号または制御信号に変換され、変換されたアナログ信号が電話機１１０に供給されることになる。
【００１０】
次に、１４０は電話局であり、その内部に設けられたＭＤＦ（主配線盤）には上記加入者線１２１を含む複数の加入者線（図示略）が接続されている。１４４はＡＤＳＬスプリッタであり、これら複数の加入者線を介して受信した信号を各々ＡＤＳＬおよび音声通話の二帯域に帯域分割するとともに、ＡＤＳＬ帯域の各信号をＤＳＬＡＭ（集合モデム）１４６に出力するとともに、音声通話帯域の各信号を電話交換機１４８に出力する。さらに、ＡＤＳＬスプリッタ１４４は、ＤＳＬＡＭ１４６および電話交換機１４８から受信した信号を加入者毎に合成し、合成した各信号を各加入者線を介して出力する。
【００１１】
そして、電話交換機１４８は電話網１６０に接続され、ＤＳＬＡＭ１４６はプロバイダ専用線１７０を介してインターネットサービスプロバイダ１８０の管理するサーバ１８２に接続されている。サーバ１８２は、プロバイダ専用線１７０およびインターネット１９０間のＩＰパケットを仲介する。これによって一般ユーザのパーソナルコンピュータ１０２，１０４等とインターネット１９０との間で相互にＩＰパケットが送受信されることになる。また、１８４は音声データ配信サーバであり、ここには住人の話し声や、テレビジョン、ラジオの音声、子供の声、家庭内で発生する音等の生活音を録音して成る複数種類の音声データが記憶されている。すなわち、音声データは家族構成（大人／子供の別、男女の別）や、ペットの有無や種類等に応じて分類されている。これら音声データの集合を「音声データベース」という。
【００１２】
次に、音声データ配信サーバ１８４の詳細構成を図２を参照し説明する。図において２は通信部であり、サーバ１８２との間でＩＰパケットを送受信する。６はハードディスクであり、ここにはサーバ１８４のオペレーティングシステム、音声データ配信プログラム、上記音声データベース等が記憶されている。さらに、ハードディスク６には、各ユーザの識別番号と、各顧客に選択された音声データとを対応付ける顧客データベースが記憶されている。４は音声信号生成部であり、音声データベースの中から選択された音声データをＩＰパケットに変換し、通信部２を介して出力する。
【００１３】
１０はＣＰＵであり、上記オペレーティングシステム、音声データ配信プログラム等のプログラムに基づいて、バス８を介してサーバ１８４内の各部を制御する。１２はＲＯＭであり、サーバ１８４のイニシャルプログラムローダ等が記憶されている。１４はＲＡＭであり、ＣＰＵ１０のワークメモリとして使用される。１６はディスプレイであり、ＣＰＵ１０の制御の下、各種情報を表示する。１８は入力装置であり、キーボードおよびマウス等から構成されている。
【００１４】
1．2．第１実施例の動作
1．2．1．ユーザおよびサーバ１８４間の通信
次に、本実施例の動作を説明する。
まず、一般家庭１００内のユーザが電話機１１０をオフフックし、音声データ配信サーバ１８４に対応する所定の電話番号を入力すると、該電話番号を着信先電話番号とする着信要求が電話局１４０を介してサーバ１８２に供給される。なお、この着信要求には、要求元ユーザの識別番号が含まれている。サーバ１８２においては、該着信要求が音声データ配信サーバ１８４宛のものであるか否かが判定され、サーバ１８４宛のものであると判定されると、該着信要求がサーバ１８４に転送される。そして、サーバ１８４においては、該着信要求が受信されると、図３に示す着信要求受信ルーチンが起動される。なお、音声データ配信サーバ１８４はマルチタスクに対応しており、本ルーチンは着信要求が受信される度に別プロセスにて複数起動される。
【００１５】
図３において処理がステップＳＰ１２に進むと、サーバ１８４において該着信要求が着呼され、ユーザ側の電話機とサーバ１８４との間でＶｏＩＰの回線が設定される。次に、処理がステップＳＰ１４に進むと、当該ユーザの識別番号をキーとしてハードディスク６内の顧客データベースが検索され、該ユーザによって予め選択された一の音声データが特定される。そして、音声データベースから該一の音声データの一部を成す部分データが読み出される。次に、処理がステップＳＰ１６に進むと、該部分データが音声信号生成部４に供給される。これにより、音声信号生成部４において部分データはＵＤＰ／ＩＰパケットに逐次変換され、変換されたＵＤＰ／ＩＰパケットは通信部２を介して、当該ユーザの電話機に対して送信される。
【００１６】
次に、処理がステップＳＰ１８に進むと、先にステップＳＰ１２において設定された回線がユーザ側から切断されたか否かが判定される。ここで「ＮＯ」と判定されると、処理はステップＳＰ１４に戻り、音声データのうち既に再生された部分を除く先頭の部分データが読み出される。そして、ステップＳＰ１６においては、該部分データが音声信号生成部４に供給される。このように、ステップＳＰ１４からステップＳＰ１８のループが繰り返されると、音声データが徐々にＵＤＰ／ＩＰパケットに変換され、ユーザ側の電話機１１０に供給される。そして、当該音声データの再生が全て終了した場合には、当該音声データの再生が最初から繰り返される。
【００１７】
ここで、ユーザ側の電話機１１０においては、サーバ１８４から供給される音声信号がハンドセットから聞こえる状態になるが、該音声信号の供給先として放音用スピーカを選択すると、サーバ１８４から供給された音声信号が比較的大音量で放音用スピーカから放音されるようになる。かかる状態において、ユーザが外出したとしても、電話機１１０からは予めユーザによって選択された音声データが放音され続ける。そして、ユーザが外出から戻った際に電話機１１０をオンフックすると、電話機１１０において回線が切断される。
【００１８】
電話機１１０において回線が切断されると、その旨がサーバ１８２に検出され、音声データ配信サーバ１８４に対して回線が切断された旨が通知される。この通知がサーバ１８４に受信されると、次に処理がステップＳＰ１８に進んだ際に「ＹＥＳ」と判定され、処理はステップＳＰ２０に進む。ここでは、音声データの送信が停止される。次に、処理がステップＳＰ２２に進むと、当該ユーザに対して送信すべき留守番電話メッセージ（詳細は後述する）が存在するか否かが判定される。
【００１９】
ここで「ＹＥＳ」と判定されると、処理はステップＳＰ２４に進む。ここでは、サーバ１８２側から当該ユーザに対して着信要求が送信され、ユーザが電話機１１０をオフフックすることによって回線が接続されると、サーバ１８４から電話機１１０に対して、留守番電話メッセージが存在する旨を通知する所定の音声メッセージが送信される。これにより、ユーザは所定の操作を行うことにより、該留守番電話メッセージの内容を確認することができる。次に、処理がステップＳＰ２６に進むと、今回実行された音声データの配信に係る通信開始日時、通信時間等から成る通信記録がハードディスク６内の顧客データベースに保存される。これは、当該ユーザに対して、通信料金等を後日請求するためである。
【００２０】
1．2．2．留守番電話メッセージの録音
上記着信要求受信ルーチン（図３）が実行されている際にインターネット１９０を介して第三者から電話機１１０宛の着信要求がサーバ１８２に受信される場合がある。かかる場合、サーバ１８２から着信要求元の端末に対して、当該ユーザが不在である旨と、留守番電話メッセージを録音する旨のメッセージとが送信される。ここで、第三者の端末から音声信号が入力されると、その内容がサーバ１８２を介してサーバ１８４に供給され、サーバ１８４内に記録される。このようにして電話機１１０のユーザ宛の留守番電話メッセージが録音された場合には、上述したように、ステップＳＰ２４においてその旨を通知するメッセージがユーザに送信されることになる。
【００２１】
このように、本実施例によれば、個々のユーザは自己の家庭の生活音等を録音する必要がなく、簡易な操作によって実際の生活音に近い音声を生成することができる。さらに、本実施例においては、音声データを配信する方法として、インターネット１９０を介して通信できる電話機１１０のＩＰ電話機能を用いたため、ユーザがインターネット１９０に対する常時接続環境を有していれば、電話代等の負担が増えないという格別の効果を奏する。また、プロバイダにおいては全国の多くの家庭に対して音声データを配信するため、長時間の音声データを準備したとしても、一ユーザあたりの負担はきわめて小さいものである。
【００２２】
2．第２実施例
2．1．第２実施例のハードウエア構成
次に、本発明の第２実施例の音声配信システムの構成を図４を参照し説明する。
図４において２１０はパーソナルコンピュータ、２２０は専用端末、２３０は音声データ配信サーバであり、これらはインターネット１９０を介して相互にＩＰパケットを送受信できるように構成されている。ここで、音声データ配信サーバ２３０のハードウエア構成は第１実施例におけるサーバ１８４の構成と同様であり、サーバ２３０のハードディスクには、サーバ１８４と同様の音声データベースおよび顧客データベース等が格納されている。
【００２３】
専用端末２２０は、音声データ配信サーバ２３０から波形ファイルを受信し、これを再生するための専用端末である。該専用端末２２０の構成を図５を参照し説明する。図において３２は通信部であり、インターネット１９０を介して音声データ配信サーバ２３０との間でＩＰパケットを送受信する。３４はＣＰＵであり、ＲＯＭ４２に格納された制御プログラムに基づいて、バス３８を介して専用端末２２０内の各部を制御する。３６は音声データ再生部であり、通信部３２を介して受信した音声データをアナログ信号に変換し発音する。４０は操作部であり、ユーザによって操作される各種の操作子から構成されている。４４はＲＡＭであり、ＣＰＵ３４のワークメモリとして使用される。４６は表示部であり、ユーザに対して各種情報を表示する。なお、パーソナルコンピュータ２１０の構成は、サーバ１８４から音声信号生成部４を除き、上記音声データ再生部３６を追加した構成と同様である。
【００２４】
2．2．第２実施例の動作
2．2．1．専用端末２２０の動作
次に、本実施例の動作を説明する。まず、専用端末２２０の電源が投入されると、図６(b)に示す端末処理ルーチンが起動される。図において処理がステップＳＰ５０に進むと、音声データ配信サーバ２３０に対して音声データの配信を要求するための専用画面が表示部４６に表示される。この専用画面には、家族構成（大人／子供の別、男女の別）や、ペットの有無や種類等に応じた音声データのタイトルがユーザによって選択可能な状態で表示される。
【００２５】
次に、処理がステップＳＰ５２に進むと、ユーザによって所定の配信開始操作が実行されたか否かが判定され、該配信開始操作が実行されるまで処理が待機する。ここで、ユーザは上記専用画面において配信を希望する音声データを選択することができ、「配信開始操作」にはこれら音声データのうち何れかが選択された状態で実行されることになる。配信開始操作が実行されると、処理はステップＳＰ５４に進み、ユーザに選択された音声データの種類を指定する配信要求がインターネット１９０を介して音声データ配信サーバ２３０に送信される。
【００２６】
次に、処理がステップＳＰ５６に進むと、音声データ配信サーバ２３０から、該音声データの一部を成す部分データが受信されたか否かが判定され、部分データが受信されるまで処理が待機する。部分データが受信され、ここで「ＹＥＳ」と判定されると処理はステップＳＰ５８に進み、受信された部分データが音声データ再生部３６を介して再生される。なお、再生が終了した部分データは、直ちに破棄してよい。次に、処理がステップＳＰ６０に進むと、専用画面において所定の配信停止操作が実行されたか否かが判定される。ここで「ＮＯ」と判定されると、処理はステップＳＰ５６に戻る。以後、ステップＳＰ５６〜ＳＰ５８のループが繰り返される。かかる状態において、ユーザが外出したとしても、音声データ再生部３６を介して、選択された音声データが放音され続けることになる。
【００２７】
そして、ユーザが外出から戻った際に、専用画面において所定の配信停止操作を実行すると、次に、処理がステップＳＰ６０に進んだ際に「ＹＥＳ」と判定され、処理はステップＳＰ６２に進む。ここでは、通信部３２から音声データ配信サーバ２３０に対して、音声データの配信停止を要求する配信停止要求が送信される。以上、専用端末２２０の動作について説明したが、パーソナルコンピュータ２１０にも端末処理ルーチン（図６(b)）を実行するアプリケーションプログラムがインストールされ、パーソナルコンピュータ２１０も専用端末２２０と同様に動作する。
【００２８】
2．2．2．音声データ配信サーバ２３０の動作
次に、音声データ配信サーバ２３０の動作を説明する。まず、専用端末２２０またはパーソナルコンピュータ２１０から配信要求が供給されると、サーバ２３０において図６(a)に示す配信要求受信ルーチンが起動される。なお、サーバ２３０はマルチタスクに対応しており、本ルーチンは配信要求が受信される度に別プロセスにて複数起動される。図において処理がステップＳＰ３２に進むと、サーバ２３０のハードディスク６に記憶されている音声データベースから、ユーザによって指定された音声データの一部を成す部分データが読み出される。この部分データは、一般的な波形データファイルの形式（例えばＭＰ３、ＷＦＭ形式）を有するものであり、当該部分データが配信要求元端末のＩＰアドレスにそのまま送信される。次に、処理がステップＳＰ３４に進むと、配信要求元端末から配信停止要求を受信したか否かが判定される。
【００２９】
ここで「ＮＯ」と判定されると、処理はステップＳＰ３２に戻る。ここでは、指定された音声データのうち既に再生された部分を除く先頭の部分データが読み出され、配信要求元端末に配信される。そして、配信停止要求が受信されるまで、ステップＳＰ３２の動作が繰り返し実行され、音声データを構成する部分データが配信要求元端末に順次送信される。そして、当該音声データの送信が全て終了した場合には、当該音声データの送信が最初から繰り返される。ここで、配信要求元端末から配信停止要求を受信すると、次にステップＳＰ３４が実行された際に「ＮＯ」と判定され、処理はステップＳＰ３６に進み、音声データの配信が停止される。次に、処理がステップＳＰ３８に進むと、今回実行された音声データの配信に係る通信開始日時、通信時間等から成る通信記録がハードディスク内の顧客データベースに保存される。これは、当該ユーザに対して、通信料金等を後日請求するためである。
【００３０】
3．変形例
本発明は上述した実施例に限定されるものではなく、例えば以下のように種々の変形が可能である。
(1)上記各実施例においては、音声データ配信サーバ１８４，２３０、パーソナルコンピュータ２１０、専用端末２２０等で実行されるプログラムによって各種処理を行ったが、当該プログラムのみをＣＤ−ＲＯＭ、フレキシブルディスク等の記録媒体に格納して頒布し、あるいは伝送路を通じて頒布することもできる。
【００３１】
(2)上記各実施例においては、音声データ配信サーバ１８４，２３０は各ユーザの端末に対して音声信号（または音声データ）を送信したが、電話機１１０、パーソナルコンピュータ２１０、または専用端末２２０が一般家庭１００内の照明、テレビジョン、ラジオ等のオン／オフ状態を遠隔制御できる場合には、これらをオン／オフする制御信号を音声信号（または音声データ）とともに音声データ配信サーバ１８４，２３０が送信するようにしてもよい。
【図面の簡単な説明】
【００３２】
【図１】本発明の第１実施例の音声配信システムのブロック図である。
【図２】第１実施例の音声データ配信サーバ１８４のブロック図である。
【図３】第１実施例の着信要求受信ルーチンのフローチャートである。
【図４】第２実施例の音声配信システムの構成図である。
【図５】第２実施例の専用端末２２０のブロック図である。
【図６】第２実施例の音声データ配信サーバ２３０および専用端末２２０の制御プログラムのフローチャートである。
【符号の説明】
【００３３】
２：通信部、４：音声信号生成部、６：ハードディスク、８：バス、１０：ＣＰＵ、１２：ＲＯＭ、１４：ＲＡＭ、１６：ディスプレイ、１８：入力装置、３２：通信部、３４：ＣＰＵ、３６：音声データ再生部、３８：バス、４０：操作部、４２：ＲＯＭ、４４：ＲＡＭ、４６：表示部、１００：一般家庭、１０１：家庭内ＬＡＮ、１０６：ハブ、１０８：ＡＤＳＬモデム、１１０：電話機（電話端末）、１１２：ＡＤＳＬスプリッタ、１１４：ＡＤＳＬ分岐線、１１６：電話分岐線、１２１：加入者線（電話回線）、１４０：電話局、１４４：ＡＤＳＬスプリッタ、１４６：ＤＳＬＡＭ、１４８：電話交換機、１６０：電話網、１７０：プロバイダ専用線、１８０：プロバイダ、１８０：インターネットサービスプロバイダ、１８２：サーバ、１８４：音声データ配信サーバ、１９０：インターネット、２１０：パーソナルコンピュータ（ユーザ側の端末）、２２０：専用端末（ユーザ側の端末）、２３０：音声データ配信サーバ、１０２，１０４：パーソナルコンピュータ。
【図１】
2006126888.tif 000003
【図２】
2006126888.tif 000004
【図３】
2006126888.tif 000005
【図４】
2006126888.tif 000006
【図５】
2006126888.tif 000007
【図６】
2006126888.tif 000008